(57)【特許請求の範囲】
【請求項１】
動画を受信する受信部と、
前記動画を投稿予定の動画投稿サービスごとに、当該動画投稿サービスに合わせて前記動画を変換する編集部と、
前記動画投稿サービスのそれぞれに変換後の動画を投稿する投稿部と、
前記動画投稿サービスのそれぞれに動画を投稿したメッセージをソーシャルネットワーキングサービスまたはウェブサイトに投稿する通知部と、
前記ソーシャルネットワーキングサービスまたはウェブサイトから前記動画投稿サービスの視聴者の情報を収集する管理部を備え、
前記管理部は、前記動画投稿サービスのそれぞれに投稿した動画が削除されていないかを確認し、
前記動画投稿サービスから動画が削除されたことを検知した場合、前記通知部は、動画が削除されたメッセージをソーシャルネットワーキングサービスまたはウェブサイトに投稿する
動画投稿補助装置。
【請求項２】
請求項１に記載の動画投稿補助装置であって、
前記管理部は、前記動画投稿サービスそれぞれのアカウントが凍結されていないかを確認する
動画投稿補助装置。
【請求項３】
請求項１または２に記載の動画投稿補助装置であって、
前記動画投稿サービスから動画が削除されたことを検知した場合、前記投稿部は、前記動画投稿サービスに前記動画を再投稿する
動画投稿補助装置。
【請求項４】
請求項１ないし３のいずれかに記載の動画投稿補助装置であって、
前記通知部は、前記メッセージに全ての前記動画投稿サービスに投稿した前記動画へのリンクを含める
動画投稿補助装置。
【請求項５】
請求項１ないし４のいずれかに記載の動画投稿補助装置であって、
前記編集部は、前記動画投稿サービスごとに異なる内容で前記動画を編集する
動画投稿補助装置。
【請求項６】
請求項１ないし５のいずれかに記載の動画投稿補助装置であって、
前記動画を投稿したメッセージは、前記動画投稿サービスのそれぞれに投稿した動画へのリンクを含む
動画投稿補助装置。
【請求項７】
コンピュータが実行する動画投稿補助方法であって、
動画を受信するステップと、
前記動画を投稿予定の動画投稿サービスごとに、当該動画投稿サービスに合わせて前記動画を変換するステップと、
前記動画投稿サービスのそれぞれに変換後の動画を投稿するステップと、
前記動画投稿サービスのそれぞれに動画を投稿したメッセージをソーシャルネットワーキングサービスまたはウェブサイトに投稿するステップと、
前記ソーシャルネットワーキングサービスまたはウェブサイトから前記動画投稿サービスの視聴者の情報を収集するステップと、
前記動画投稿サービスのそれぞれに投稿した動画が削除されていないかを確認するステップと、
前記動画投稿サービスから動画が削除されたことを検知した場合、動画が削除されたメッセージをソーシャルネットワーキングサービスまたはウェブサイトに投稿するステップを有する
動画投稿補助方法。
【請求項８】
コンピュータに、
動画を受信する処理と、
前記動画を投稿予定の動画投稿サービスごとに、当該動画投稿サービスに合わせて前記動画を変換する処理と、
前記動画投稿サービスのそれぞれに変換後の動画を投稿する処理と、
前記動画投稿サービスのそれぞれに動画を投稿したメッセージをソーシャルネットワーキングサービスまたはウェブサイトに投稿する処理と、
前記ソーシャルネットワーキングサービスまたはウェブサイトから前記動画投稿サービスの視聴者の情報を収集する処理と、
前記動画投稿サービスのそれぞれに投稿した動画が削除されていないかを確認する処理と、
前記動画投稿サービスから動画が削除されたことを検知した場合、動画が削除されたメッセージをソーシャルネットワーキングサービスまたはウェブサイトに投稿する処理を実行させる
プログラム。
【発明の詳細な説明】
【技術分野】
【０００１】
本発明は、動画投稿補助装置、動画投稿補助方法、およびプログラムに関する。
【背景技術】
【０００２】
ユーザが自由に動画を投稿でき、投稿された動画を視聴できる動画投稿サービスは、非常に多くのユーザに利用されている。動画の投稿で収入を得る配信者も多数存在する。
【０００３】
配信者の投稿した動画は、動画投稿サービスの配信者のアカウントに紐付けられたチャンネルでまとめて管理される。視聴者（フォロワーまたはチャンネル登録者とも言う）は、気になる配信者をフォロー（チャンネル登録とも言う）しておくと、動画投稿サービスにアクセスしたときにフォローした配信者の最新の動画を表示させることができる。フォロワー数（チャンネル登録者数とも言う）は配信者の人気を表すバロメータでもある。
【先行技術文献】
【特許文献】
【０００４】
【特許文献１】特開２０１０−０６７０８０号公報
【発明の概要】
【発明が解決しようとする課題】
【０００５】
上記のように、動画投稿サービスでは、配信者のフォロワーが管理され、配信者にとっては自身の人気度を把握でき、フォロワーにとっては配信者の最新動画を見ることができるので、配信者とフォロワーのどちらにもメリットがある。ところが、フォロワーは動画投稿サービス内だけで管理されるものであるので、配信者のアカウントが凍結された場合、これまでの活動により獲得したフォロワーとの接点が絶たれてしまう。動画の投稿で収入を得る配信者にとって、フォロワーを失うことは死活問題に直結する。動画投稿サービスでは、規制が機械的に行われるため、本人が意図しない内容のコンテンツで簡単にアカウントが凍結されてしまうことがある。
【０００６】
そこで配信者は、複数サービスの利用、サービス内のサブチャンネル開設、およびソーシャルネットワーキングサービス（ＳＮＳ）の利用などを行い、複数経路でフォロワーとの繋がりを保っている。
【０００７】
複数サービスの利用は、異なる事業者が運営する複数の動画投稿サービスに動画を投稿し、動画配信自体を二重化する方法である。投稿する動画の内容に関する規制は、最終的には、どの動画投稿サービスにおいても同じ流れになるが、事業者によって規制の温度感やスピード感が違うため、いずれかの動画投稿サービスにおいてアカウントが凍結されてしまっても、一挙にフォロワーとの繋がりが絶たれることを防ぐことができる。
【０００８】
サブチャンネル開設では、同じ動画投稿サービス内に別のアカウントを用意し、別のチャンネル（サブチャンネル）を開設する。メインチャンネルのフォロワーにサブチャンネルの登録を呼びかけ、メインチャンネルとサブチャンネルを関連つけておく。複数サービスの利用と同様に動画の投稿先を複数に分散するものであるが、基本的に、サブチャンネルは更新頻度が低くてもよく、メインチャンネルと内容の異なる動画を投稿してもよい。サブチャンネルを開設することで、メインチャンネルが失われてしまった場合に、一挙にフォロワーとの繋がりが絶たれることを防ぐことができる。
【０００９】
ＳＮＳの利用は、ＳＮＳのフォロワーを動画投稿サービスへ導くための番組宣伝という意味合いがある。動画投稿サービスのフォロワーに対してもＳＮＳでのフォローを促す。複数の動画投稿サービスを利用しているとき、いずれかのアカウントが凍結されてしまった場合に、ＳＮＳを通じて、他の動画投稿サービスへ誘導することができる。動画投稿サービスはログイン機能にＳＮＳの承認システムを使うものもあり、ＳＮＳから導かれたフォロワーは、自身のＳＮＳアカウントを利用して動画投稿サービスにログインすることが多い。そのため、ＳＮＳアカウントは、動画投稿サービスをまたぐ共通アカウント情報とみなすことができる。
【００１０】
複数の動画投稿サービスを利用し、ＳＮＳを利用する場合、配信者は、投稿する動画を複数の動画投稿サービスの仕様に合わせて変換し、動画投稿後に、ＳＮＳにメッセージを投稿する必要がある。動画投稿後も、動画が削除されていないか、アカウントが凍結されていないかを確認する必要がある。配信者の多くは一人で動画の作成、編集、宣伝、動画の管理、およびフォロワーの管理を行っており、複数の動画投稿サービスに動画を投稿し、管理することは負担が大きいという問題がある。
【００１１】
特許文献１には、ブログデータをブログサーバに送信するとともに、ブログへのリンクと動画データを動画配信サーバに送信し、ユーザを動画からブログへ誘導する技術が開示されている。特許文献１は、ブログサーバと動画サーバのそれぞれにコンテンツを送信する負担を軽減できるが、複数の動画サーバに動画データを送信することは考慮されていない。また、フォロワーの管理や動画データの管理も考慮されていない。
【００１２】
本発明は、上記に鑑みてなされたものであり、複数の動画投稿サービスに動画を投稿する配信者の負担を減らすことを目的とする。
【課題を解決するための手段】
【００１３】
本発明の一態様の動画投稿補助装置は、動画を受信する受信部と、前記動画を投稿予定の動画投稿サービスごとに、当該動画投稿サービスに合わせて前記動画を変換する編集部と、前記動画投稿サービスのそれぞれに変換後の動画を投稿する投稿部と、前記動画投稿サービスのそれぞれに動画を投稿したメッセージをソーシャルネットワーキングサービスまたはウェブサイトに投稿する通知部と、前記ソーシャルネットワーキングサービスまたはウェブサイトから前記動画投稿サービスの視聴者の情報を収集する管理部を備え、前記管理部は、前記動画投稿サービスのそれぞれに投稿した動画が削除されていないかを確認し、前記動画投稿サービスから動画が削除されたことを検知した場合、前記通知部は、動画が削除されたメッセージをソーシャルネットワーキングサービスまたはウェブサイトに投稿する。
【発明の効果】
【００１４】
本発明によれば、複数の動画投稿サービスに動画を投稿する配信者の負担を減らすことができる。
【図面の簡単な説明】
【００１５】
【図１】図１は、本実施形態の動画投稿システムの構成の一例を示す図である。
【図２】図２は、投稿サーバの構成の一例を示す図である。
【図３】図３は、動画投稿システムの処理の流れの一例を示すシーケンス図である。
【図４】図４は、動画投稿システムを用いてイベントを開催する処理の流れの一例を示すシーケンス図である。
【図５】図５は、動画投稿システムを用いて投稿動画を管理する処理の流れの一例を示すシーケンス図である。
【発明を実施するための形態】
【００１６】
以下、本発明の実施形態について図面を用いて説明する。
【００１７】
図１は、本実施形態の動画投稿システムの構成の一例を示す図である。本実施形態の動画投稿システムは、配信者がアップロードした動画を各動画投稿サービスＡ〜Ｃに合わせて変換して投稿するとともに、動画を投稿したことをＳＮＳやウェブサイトを通じて視聴者に通知する。
【００１８】
図１に示す動画投稿システムは、投稿サーバ１および配信者端末３を備える。投稿サーバ１は、配信者端末３から動画を受信し、受信した動画を編集して動画投稿サービスＡ〜Ｃのそれぞれに合った形式に変換し、動画投稿サービスＡ〜Ｃのそれぞれに合わせて変換した動画を動画投稿サービスＡ〜Ｃのそれぞれに投稿するとともに、動画を投稿したことを示すメッセージをＳＮＳへ投稿したり、ウェブサイトに掲示したりする。
【００１９】
動画投稿サービスＡ〜Ｃは、ユーザが自由に動画を投稿でき、投稿された動画を視聴できるサービスである。動画投稿サービスＡ〜Ｃのそれぞれは、異なる事業者によって提供されるサービスであり、投稿可能な動画の形式が異なることがある。例えば、動画の形式については、動画の長さ、動画のサイズ、音声チャンネル数、ビットレート、およびコーデックなどが異なる。また、動画の形式以外にも、動画に対するコメントの有無、コメントの表示方法、および差し込みＣＭの有無などが異なることもある。さらに、動画投稿サービスＡ〜Ｃごとに動画の内容に対する規制も異なることもある。なお、動画投稿サービスＡ〜Ｃは、同じ事業者によって提供されるサービスであってもよい。例えば、動画投稿サービスＡはメインチャンネルであり、動画投稿サービスＢはサブチャンネルであってもよい。動画投稿システムを提供する事業者が動画投稿サービスを提供してもよい。
【００２０】
ＳＮＳは、メッセージ、画像、または短い動画の投稿を受け付けて公開し、個人間のコミュニケーションをサポートするサービスである。視聴者が配信者のＳＮＳのアカウントをフォローすると、視聴者のタイムライン（時系列順に投稿を表示した画面）には、配信者のＳＮＳへの投稿が表示される。動画投稿サービスの多くは、ログイン機能にＳＮＳの認証システムを利用している。そのため、視聴者のＳＮＳのアカウントは、各動画投稿サービスをまたぐ共通アカウント情報と考えることができる。なお、図１では、ＳＮＳを１つのみ図示しているが、動画投稿システムが複数のＳＮＳを利用してもよい。
【００２１】
ウェブサイトは、例えば配信者のブログである。ウェブサイトでは、ＳＮＳよりも長い文章を掲示したり、レイアウトを自由に変更したり、画像を掲示したり、動画をページ内に埋め込んだり、ＳＮＳへの投稿ボタンを配置したりできる。より熱心な視聴者は、動画投稿サービスＡ〜ＣやＳＮＳで配信者をフォローするだけでなく、ウェブサイトにも定期的に訪れる。ウェブサイトでは、独自に視聴者登録を受け付けてもよい。
【００２２】
次に、図２を参照し、本実施形態の投稿サーバ１の構成について説明する。図２に示す投稿サーバ１は、受信部１１、編集部１２、投稿部１３、作成部１４、通知部１５、管理部１６、および記憶部１７を備える。投稿サーバ１が備える各部は、演算処理装置、記憶装置等を備えたコンピュータにより構成して、各部の処理がプログラムによって実行されるものとしてもよい。このプログラムは投稿サーバ１が備える記憶装置に記憶されており、磁気ディスク、光ディスク、半導体メモリ等の記録媒体に記録することも、ネットワークを通して提供することも可能である。
【００２３】
なお、本実施形態では、ネットワーク上に投稿サーバ１を配置しているが、配信者端末３が投稿サーバ１の機能を備えてもよい。例えば、パーソナルコンピュータでアプリケーションを実行し、パーソナルコンピュータに投稿サーバ１の各部の処理をさせてもよい。
【００２４】
受信部１１は、配信者端末３から動画を受信する。受信部１１は、編集済みの動画を受信してもよいし、編集前の素材となる元動画を受信してもよい。受信部１１は、複数の元動画を受信してもよい。例えば、ゲームの実況動画を投稿する場合、配信者は、ゲーム画面を撮影した元動画とゲームをプレイする配信者を撮影した元動画を投稿サーバ１にアップロードしてもよい。
【００２５】
受信部１１は、動画とともに、キーワード情報および配信方針情報を受信してもよい。キーワード情報とは、例えば、動画のタイトル、動画を検索するために用いられるキーワードを含む情報である。配信方針情報とは、例えば、編集部１２が動画を編集する際に参照する動画の編集方針を指示する情報である。
【００２６】
編集部１２は、必要であれば動画を編集し、動画投稿サービスＡ〜Ｃのそれぞれが受け付け可能な形式に変換する。
【００２７】
編集部１２は、動画を編集する際、配信方針情報に基づいて動画を編集する。配信方針情報には、例えば、編集後の動画（以下、投稿動画とも言う）の長さなどの形式的な情報、投稿動画のテイスト（テーマ）を指定する情報、投稿動画の内容を指定する情報を含む。
【００２８】
配信方針情報にて投稿動画の長さが指定されていたとき、編集部１２は、元動画をシーンごとに分割し、各シーンの盛り上がり度合いに応じて指定の長さまでシーンを繋げて投稿動画を生成する。
【００２９】
投稿動画のテイストが指定されていたとき、編集部１２は、指定されたテイストに応じて、効果音や音楽を付けたり、テキストのフォントを選択したり、シーン切り替え時に各種効果をつけたりする。テイストは、クラシック、ポップ、ビビット、あるいはパステルなど概念的な言葉で指定されてよい。
【００３０】
投稿動画の内容が指定されていたとき、編集部１２は、動画の内容に応じたテンプレートをいくつか用意しておき、指定された内容に応じた構成で元動画を編集する。例えば、動画の内容がゲーム実況の場合、編集部１２は、ゲーム画面の動画と配信者を撮影した動画を画面内に並べたり、ゲーム画面の動画内に配信者を撮影した動画をワイプで挿入したりする。動画の内容が歌や演奏の場合、編集部１２は、元動画から歌や演奏のシーンを抽出し、シーンの前後でフェードイン、フェードアウトさせる。動画の内容が配信者のトークの場合、編集部１２は、話題が切り替わるシーンに場面転換画面を挿入したりする。
【００３１】
編集部１２は、ユーザインタフェースを提供し、配信者との対話を通じて動画を編集できてもよい。例えば、配信者は、編集部１２が配信方針情報に基づいて作成した投稿動画を確認し、配信方針情報を修正したり、投稿動画から削除するシーンを指定したり、挿入したいシーンを指定したり、シーンに付与する特殊効果を指定したりする。編集部１２は、配信者からの指定を反映した投稿動画を生成する。確認と修正を繰り返すことで所望の投稿動画が得られる。また、この編集作業を機械学習などで学習させて、次回の編集に活かしても良い。
【００３２】
編集部１２は、一つの元動画から動画投稿サービスＡ〜Ｃごとに異なる投稿動画を生成してもよい。例えば、視聴者のコメントが動画に重畳させて表示される動画投稿サービスへの投稿動画については、編集部１２は、動画内に表示するテキストの量を減らしたり、テキストを表示する位置を限定したりする。配信方針情報は、動画投稿サービスＡ〜Ｃごとに指定されてよい。
【００３３】
記憶部１７に配信方針情報を記憶させておき、編集部１２は、動画を編集する際に、記憶部１７から配信方針情報を取得してもよい。編集部１２が配信者との対話を通じて投稿動画を生成したときは、その内容で配信方針情報を更新し、以降の投稿動画の生成に反映してもよい。
【００３４】
編集部１２は、編集後、投稿動画を動画投稿サービスＡ〜Ｃのそれぞれが受け付け可能な形式に変換する。例えば、編集部１２は、動画投稿サービスＡ〜Ｃのそれぞれに合わせて動画のサイズを変更したり、コーデックを変換したりする。編集部１２は、必要であれば、投稿動画を分割して変換する。受信部１１の受信した動画が編集済みの動画のとき、編集部１２は、編集済みの動画を動画投稿サービスＡ〜Ｃごとに形式変換するだけでもよい。編集部１２は、変換後の投稿動画を記憶部１７に記憶させておき、配信者の求めに応じて投稿動画を返信してもよい。
【００３５】
また、編集部１２は、キーワード情報に基づいて投稿動画のタイトルや説明などを作成してもよい。
【００３６】
投稿部１３は、動画投稿サービスＡ〜Ｃのそれぞれに投稿動画を投稿する。記憶部１７に動画の投稿に必要なアカウントの情報を記憶させておく。投稿部１３は、動画投稿サービスＡ〜Ｃのそれぞれにログインし、該当する投稿動画を動画投稿サービスＡ〜Ｃに投稿する。
【００３７】
作成部１４は、動画を投稿したことを知らせるメッセージを作成する。例えば、作成部１４は、キーワード情報に基づいて通知内容を作成したり、投稿動画のサムネイル画像を作成したり、投稿動画のごく一部を抽出したりして、通知内容、サムネイル画像、および投稿動画の一部や投稿動画へのリンクのうちの少なくともいずれかを含むメッセージを作成する。作成部１４は、動画投稿サービスＡ〜Ｃごとに個別のメッセージを作成してもよいし、全ての動画投稿サービスＡ〜Ｃで共通のメッセージを作成してもよい。共通のメッセージを作成する場合、メッセージに全ての動画投稿サービスＡ〜Ｃの投稿動画へのリンクを含める。
【００３８】
通知部１５は、メッセージをＳＮＳおよびウェブサイトに投稿する。動画投稿サービスＡ〜Ｃごとに個別のメッセージを作成した場合、通知部１５は、メッセージごとに投稿するＳＮＳやウェブサイトを分けてもよい。例えば、ＳＮＳに動画投稿サービスＡ〜Ｃごとのアカウントを作成し、それぞれのアカウントでそれぞれのメッセージを投稿する。
【００３９】
管理部１６は動画投稿サービスＡ〜Ｃのフォロワーをまとめて管理してもよい。動画投稿サービスＡ〜Ｃの配信者のプロフィールに、配信者のＳＮＳのアカウント情報やウェブサイトへのリンクを掲示しておき、管理部１６は、動画からＳＮＳやウェブサイトに誘導されたフォロワーの情報を収集する。例えば、管理部１６は、ＳＮＳに投稿したメッセージを再投稿（リツイートとも言う）したり、高評価（「いいね」とも言う）を与えたりしたアカウント情報を収集する。管理部１６は、ウェブサイトへの登録者を収集したりする。管理部１６は、動画投稿サービスＡ〜Ｃに投稿した動画に高評価（「いいね」とも言う）を与えた視聴者のアカウント情報を収集したり、動画にコメントを投稿した視聴者のアカウント情報を収集したりしてもよい。管理部１６は、各動画投稿サービスＡ〜ＣやＳＮＳから収集したアカウント情報を集約し、同一と思われるアカウント情報をまとめたり、熱心なアカウント情報を管理したりする。これにより、動画投稿サービスＡ〜Ｃで閉じていたフォロワーの情報を取得して管理できる。
【００４０】
管理部１６は、動画投稿サービスＡ〜Ｃのそれぞれに投稿した動画が削除されていないか、動画投稿サービスＡ〜Ｃのアカウントが凍結されていないかなど、動画投稿サービスＡ〜Ｃの投稿動画を管理してもよい。動画が削除されていたり、アカウントが凍結されていたりした場合、管理部１６は、動画が削除されたことまたはアカウントが凍結されたことを配信者に通知する。配信者は、この通知を受けて、動画を編集し直して再投稿したり、ＳＮＳやウェブサイトにメッセージを投稿して別の動画投稿サービスへ誘導したりする。投稿サーバ１が、自動的に、動画を再投稿したり、動画が削除されたことのメッセージや別の動画投稿サービスへ誘導するメッセージを投稿したりしてもよい。
【００４１】
記憶部１７は、動画投稿サービスＡ〜Ｃのそれぞれのアカウント情報、投稿可能な動画の形式、配信方針情報、およびフォロワーの情報を記憶する。記憶部１７は、受信した元動画や動画投稿サービスＡ〜Ｃに投稿した投稿動画を記憶してもよい。
【００４２】
次に、図３を参照し、動画投稿システムの処理の流れを説明する。
【００４３】
配信者は、動画投稿サービスＡ〜ＣおよびＳＮＳのアカウントを保持しているものとする。
【００４４】
ステップＳ１１にて、配信者は配信者端末３から投稿サーバ１へ動画と動画に関連する情報を投稿サーバ１へアップロードする。配信者端末３は、配信者端末３で編集した動画をアップロードしてもよいし、編集前の素材となる元動画をアップロードしてもよい。配信者が編集した動画をアップロードしたときは、後述の動画編集処理では、形式の変換のみが行われる。
【００４５】
ステップＳ１２にて、投稿サーバ１は、配信方針情報に従って動画編集処理を行い、動画投稿サービスＡ用の投稿動画を生成する。
【００４６】
ステップＳ１３にて、投稿サーバ１は、生成した投稿動画を動画投稿サービスＡに投稿する。
【００４７】
ステップＳ１４にて、投稿サーバ１は、配信方針情報に従って動画編集処理を行い、動画投稿サービスＢ用の投稿動画を生成する。動画投稿サービスＡと動画投稿サービスＢとで投稿動画の内容に違いがなければ、ステップＳ１２で生成した投稿動画を動画投稿サービスＢが受け付ける形式に変換するだけでよい。
【００４８】
ステップＳ１５にて、投稿サーバ１は、生成した投稿動画を動画投稿サービスＢに投稿する。
【００４９】
同様に、ステップＳ１６，Ｓ１７にて、投稿サーバ１は、動画投稿サービスＣ用の動画編集処理を行って投稿動画を生成し、動画投稿サービスＣに投稿する。
【００５０】
なお、ステップＳ１４，Ｓ１６の動画編集処理は、ステップＳ１２の動画編集処理でまとめて行ってもよい。
【００５１】
ステップＳ１８にて、投稿サーバ１は、動画を投稿したことを示す通知を作成し、ステップＳ１９にて、通知をＳＮＳとウェブサイトに投稿する。
【００５２】
投稿サーバ１は、処理が完了したことを配信者に通知してもよい。
【００５３】
以上の処理により、動画投稿サービスＡ〜Ｃのそれぞれに動画が投稿され、ＳＮＳとウェブサイトを介して動画を投稿したことが視聴者に通知される。
【００５４】
次に、図４を参照し、動画投稿システムを用いてイベントを開催する処理の流れを説明する。イベントには、例えば、配信者が条件（動画再生回数や高評価の数）を提示し、その条件が満たされたときに何らかの動画（例えば、おまけ動画）を投稿することをＳＮＳやウェブサイトで宣言するイベントや、別の配信者とコラボレーションした動画を配信者と別の配信者のそれぞれが投稿するコラボイベントなどがある。
【００５５】
ステップＳ２１にて、配信者は配信者端末３からイベント情報を投稿サーバ１へ送信する。イベント情報には、イベントの内容を記載した文章、イベントの条件などを含む。ステップＳ２１にて、配信者は、条件が達成したときに動画投稿サービスＡ〜Ｃへ投稿するおまけ動画やコラボ動画を投稿サーバ１に事前にアップロードしておいてもよい。
【００５６】
条件が達成されたときに何らかの動画を投稿するイベントの場合、配信者は、イベントの条件、条件の内容と投稿予定の動画の内容を記載した文章をイベント情報として投稿サーバ１へ送信する。イベントの条件としては、例えば、動画投稿サービスＡ〜Ｃに投稿した動画の再生回数または高評価の数が所定値に達したか否か、ＳＮＳに投稿したメッセージに対する高評価の数または再投稿数が所定値に達したか否か、もしくは、ウェブサイトでの登録者数が所定値に達したか否かなどの条件がある。
【００５７】
コラボイベントの場合、配信者は、コラボ動画を公開する日時を示す条件、別の配信者とコラボしたことを記載した文章をイベント情報として投稿サーバ１へ送信する。コラボ動画を投稿する条件として、動画の再生回数または高評価の数、フォロワー数などを設定してもよい。
【００５８】
ステップＳ２２にて、投稿サーバ１は、イベント情報に基づいてＳＮＳやウェブサイトに投稿するメッセージを作成し、ステップＳ２３にて、メッセージをＳＮＳとウェブサイトに投稿する。
【００５９】
視聴者は、ＳＮＳやウェブサイトを通じてイベントが開催されることを知る。視聴者は、イベントの条件に応じて、動画を再生したり、動画に高評価を付けたり、ＳＮＳのメッセージを再投稿したり、ウェブサイトに登録したりする。
【００６０】
ステップＳ２４にて、投稿サーバ１は、イベントの条件が満たされたか否か判定する。このとき、管理部１６は、イベントに対して何らかの反応（動画の再生、高評価、再投稿など）を示した視聴者の情報を収集してもよい。視聴者の情報を分析することで、人気のあるイベントを知ることができる。
【００６１】
イベントの条件が満たされた場合、ステップＳ２５にて、投稿サーバ１は、動画編集処理を行い、ステップＳ２６にて、投稿動画を動画投稿サービスＡ〜Ｃのそれぞれに投稿する。動画の投稿後、投稿サーバ１は、通知を作成し、ＳＮＳやウェブサイトに投稿してもよい。
【００６２】
なお、イベントの条件が満たされた場合、投稿サーバ１は、配信者に通知し、配信者からの指示または動画のアップロードを待ってから、ステップＳ２５，Ｓ２６の処理を実行してもよい。
【００６３】
コラボイベントを開催する場合、配信者とコラボ相手の配信者がともに投稿サーバ１を利用することで、コラボ動画を同じタイミングで動画投稿サービスＡ〜Ｃに投稿することができる。
【００６４】
次に、図５を参照し、動画投稿システムを用いて投稿動画を管理する処理の流れを説明する。
【００６５】
ステップＳ３０にて、動画投稿サービスＣに投稿した動画が削除されたものとする。
【００６６】
ステップＳ３１〜Ｓ３３にて、投稿サーバ１は、動画投稿サービスＡ〜Ｃのそれぞれにアクセスし、動画が削除されていないか、アカウントが凍結されていないかを確認する。
【００６７】
動画投稿サービスＣに投稿した動画が削除されたことを確認すると、ステップＳ３４にて、投稿サーバ１は、配信者に、動画が削除されたことを通知する。
【００６８】
ステップＳ３５にて、配信者は、動画の削除への対応指示を投稿サーバ１へ送信する。対応指示としては、例えば、投稿動画の再投稿、投稿動画を再編集して再投稿、あるいは削除されたまま放置などの対応がある。あるいは、対応指示として、ＳＮＳやウェブサイトに動画が削除されたメッセージを投稿する対応がある。図５の例では、配信者は投稿動画を再編集して再投稿の指示を送信する。例えば、配信者は、配信方針情報を変更し、投稿サーバ１に動画の再編集を指示する。
【００６９】
ステップＳ３６にて、投稿サーバ１は、投稿動画を再編集し、ステップＳ３７にて、動画投稿サービスＣに投稿する。
【００７０】
ステップＳ３８にて、投稿サーバ１は、動画を再投稿したことを示す通知を作成し、ステップＳ３９にて、通知をＳＮＳとウェブサイトに投稿する。
【００７１】
なお、投稿サーバ１は、ステップＳ３５で配信者からの指示を待たずに、動画投稿サービスＣに動画を再投稿したり、ＳＮＳやウェブサイトにメッセージを投稿したりしてもよい。ステップＳ３６にて、投稿サーバ１は動画を再編集してもよいし、削除されたものと同じ動画を再投稿してもよい。
【００７２】
投稿サーバ１が配信者のアカウントの凍結を検出したときは、ステップＳ３４にて、投稿サーバ１はアカウントが凍結されたことを配信者に通知する。配信者がアカウント凍結の回復を試み、アカウントが回復した場合は、ステップＳ３５にて、動画の再投稿（再編集）を指示する。アカウントの回復ができない場合は、ステップＳ３５にて、配信者は、アカウントが凍結されたことを知らせる通知の作成を指示し、ステップＳ３８，Ｓ３９にて、投稿サーバ１は、アカウントが凍結されたことを知らせる通知を作成してＳＮＳとウェブサイトに投稿してもよい。
【００７３】
次に、投稿サーバ１による動画投稿サービスＡ〜Ｃのアカウント管理について説明する。
【００７４】
配信者が既に動画投稿サービスＡ〜Ｃを利用していた場合、配信者は、動画投稿サービスＡ〜Ｃに動画を投稿するために必要なアカウント情報を投稿サーバ１に通知して管理させる。
【００７５】
動画投稿サービスＡ〜Ｃに新たにアカウントを作成する場合、配信者は、投稿サーバ１にアカウントの作成および管理を任せてもよい。具体的には、配信者は、動画投稿サービスＡ〜Ｃでアカウントを作成するために必要な情報を投稿サーバ１に登録する。動画投稿サービスＡ〜Ｃで共通のチャンネル名を設定してもよい。投稿サーバ１は、登録された情報をもとに、動画投稿サービスＡ〜Ｃに代理でアカウントを作成し、動画投稿サービスＡ〜Ｃごとに動画を投稿するためのチャンネルを作成する。作成したアカウント情報などは投稿サーバ１で管理するとともに、配信者にも通知する。以降、投稿サーバ１は、自身で管理するアカウント情報を利用して動画投稿サービスＡ〜Ｃに動画を投稿する。
【００７６】
また、配信者は、ＳＮＳやウェブサイトに投稿するためのアカウント情報を投稿サーバ１に登録しておく。投稿サーバ１は、ＳＮＳのアカウント情報を利用してＳＮＳに通知を投稿する。動画投稿サービスＡ〜Ｃのアカウントと同様に、ＳＮＳのアカウントを投稿サーバ１に作成させてもよい。
【００７７】
以上説明したように、本実施形態の投稿サーバ１は、動画を受信する受信部１１と、動画を投稿予定の動画投稿サービスＡ〜Ｃごとに、当該動画投稿サービスＡ〜Ｃに合わせて動画を変換する編集部１２と、動画投稿サービスＡ〜Ｃのそれぞれに変換後の動画を投稿する投稿部１３と、動画投稿サービスＡ〜Ｃのそれぞれに動画を投稿したメッセージをＳＮＳまたはウェブサイトに投稿する通知部１５と、ＳＮＳまたはウェブサイトから動画投稿サービスＡ〜Ｃの視聴者の情報を収集する管理部１６を備える。これにより、配信者は、元動画を投稿サーバ１へアップロードするだけで、動画投稿サービスＡ〜Ｃのそれぞれに合った形式に動画が変換されて投稿されるとともに、ＳＮＳやウェブサイトに動画を投稿した内容のメッセージを送信することができる。また、管理部１６が、動画からＳＮＳやウェブサイトに誘導された視聴者の情報を収集するので、動画投稿サービスＡ〜Ｃ内に閉じられたフォロワーの情報を引き出して活用することができる。
【符号の説明】
【００７８】
１…投稿サーバ
１１…受信部
１２…編集部
１３…投稿部
１４…作成部
１５…通知部
１６…管理部
１７…記憶部
３…配信者端末
【要約】
【課題】複数の動画投稿サービスに動画を投稿する配信者の負担を減らす。
【解決手段】投稿サーバ１は、動画を受信する受信部１１と、動画を投稿予定の動画投稿サービスＡ〜Ｃごとに、当該動画投稿サービスＡ〜Ｃに合わせて動画を変換する編集部１２と、動画投稿サービスＡ〜Ｃのそれぞれに変換後の動画を投稿する投稿部１３と、動画投稿サービスＡ〜Ｃのそれぞれに動画を投稿したメッセージをＳＮＳまたはウェブサイトに投稿する通知部１５と、ＳＮＳまたはウェブサイトから動画投稿サービスＡ〜Ｃの視聴者の情報を収集する管理部１６を備える。
【選択図】図２【図１】
0006778838.tif 000002
【図２】
0006778838.tif 000003
【図３】
0006778838.tif 000004
【図４】
0006778838.tif 000005
【図５】
0006778838.tif 000006